(57)【要約】  データパケット通信システムは自動再送要求（ＡＲＱ）構成を伴って送信器と受信器の間で無線リンクコントロール（ＲＬＣ）送信を使用する。自動再送要求（ＡＲＱ）構成により、例えばアクセスノードとターミナルとの間で冗長な送信データの減少した量で受信器のポーリングが成し遂げられる。送信器の送信バッファが空になる、ポーリングタイマーの終了、あるいはＲＬＣプロトコルデータユニット（ＰＤＵ）カウントしきい値に達することのようなポーリングイベントに応答して、送信器は受信器へポーリングコマンドを送信する。ポーリングコマンドは、受信器からステータスＰＤＵを喚起するためにポーリングビットセットを伴い慣習的に再送信されるＲＬＣ  ＰＤＵのどれよりも小さい可能性がある。ＨＳＰＡ＋（高速パケットアクセスエボリューション）および３ＧＰＰ  ＬＴＥ（ロングタームエボリューション（ＬＴＥ））のための１キロバイトを越えるように大きなＰＤＵの傾向があるエボリューションした通信規格で、この非能率がインパクトを増加させ得る。
2010521933.tif 000002
【特許請求の範囲】
【請求項１】
減少したデータの送信でローカルの送信器から遠隔の受信器への信頼性のある送信のための方法であって、
ローカルの送信器から遠隔の受信器に無線リンクコマンドを送信することと、
ポーリングイベントの検出に応じて、ユーザプレーンデータの送信を要求することなくポーリングコマンドを送信することと、
ステータスＰＤＵを受信することと、
を具備する方法。
【請求項２】
前記ポーリングコマンドを送信することは相手に制御情報を送信するためのスーパーフィールドを含んでいるフレキシブルコンテナであるステータスＰＤＵを定義することをさらに具備し、
前記ステータスＰＤＵはポーリングコマンドを示すスーパーフィールドを具備する請求項１記載の方法。
【請求項３】
前記制御情報を送信するためのスーパーフィールドは前記ローカル送信器により送信されたシーケンス番号も示すものである請求項２記載の方法。
【請求項４】
前記ポーリングコマンドを送信するためのスーパーフィールドは前記ローカル送信器により送信された最も高いシーケンス番号も示すものである請求項２記載の方法。
【請求項５】
前記ポーリングコマンドを送信することはポーリングＰＤＵを制御チャネルエントリとして定義することをさらに具備する請求項１記載の方法。
【請求項６】
前記ポーリングＰＤＵは前記ローカル送信器により送信されたシーケンス番号も示すものである請求項５記載の方法。
【請求項７】
前記ポーリングＰＤＵは前記ローカル送信器により送信された最も高いシーケンス番号も示すものである請求項５記載の方法。
【請求項８】
前記ポーリングコマンドを送信することはデータ長０のデータを伴うＰＤＵを使うことをさらに具備する請求項１記載の方法。
【請求項９】
データコンテントを実質的に削除するためにデータ長０のデータと以前に送信したＰＤＵのヘッダ部とを伴うＰＤＵを送信することと、
ポーリングコマンドを示すためにＰＤＵのポーリングビットをセットすることと、
をさらに具備する請求項８記載の方法。
【請求項１０】
データ長０のデータを伴うＰＤＵを送信し、ＰＤＵシーケンス番号を既送信のシーケンス番号にセットすることを具備する請求項８記載の方法。
【請求項１１】
データ長０のデータを伴うＰＤＵを送信し、ＰＤＵシーケンス番号を最も高いシーケンス番号にセットすることを具備する請求項８記載の方法。
【請求項１２】
データ長０のデータを伴うＰＤＵを送信し、ＰＤＵシーケンス番号を１だけ増加された最も高いシーケンス番号にセットすることを具備する請求項８記載の方法。
【請求項１３】
前記ポーリングコマンドとデータ長０のデータとを伴うＰＤＵを送信することは、受信器バッファの状態に影響を及ぼさないが、ポーリングコマンドを伴うＲＬＣ  ＰＤＵ中の指示に関係がある全てのシーケンス番号に対してバッファ状態レポートのトリガを与える請求項８記載の方法。
【請求項１４】
前記ポーリングコマンドとデータ長０のデータを送信することは、受信器バッファの状態に影響を及ぼさない請求項８記載の方法。
【請求項１５】
前記ＲＬＣ  ＰＤＵを送信することは、高速パケットアクセスエボリューション（ＨＳＰＡ）プロトコルに適合している請求項１記載の方法。
【請求項１６】
前記ＲＬＣ  ＰＤＵを送信することは、第３世代パートナーシッププロジェクトロングタームエボリューション（３ＧＰＰ  ＬＴＥ）プロトコルに適合している請求項１記載の方法。
【請求項１７】
減少した冗長データ送信でローカルの送信器から遠隔の受信器への信頼性のある送信のために構成された少なくとも１つのプロセッサであって、
ローカルの送信器から遠隔の受信器に無線リンクコマンドを送信する第１のモジュールと、
ポーリングイベントの検出に応じて、ユーザプレーンデータの送信を要求することなくポーリングコマンドを送信する第２のモジュールと、
ステータスＰＤＵを受信する第３のモジュールと、
を具備するプロセッサ。
【請求項１８】
減少した冗長データ送信でローカルの送信器から遠隔の受信器への信頼性のある送信のためのコンピュータプログラム製品であって、コンピュータ読取可能な媒体は、
コンピュータにローカルの送信器から遠隔の受信器に無線リンクコマンドを送信させる第１のコードセットと、
コンピュータにポーリングイベントの検出に応じて、ユーザプレーンデータの送信を要求することなくポーリングコマンドを送信させる第２のコードセットと、
コンピュータにステータスＰＤＵを受信させる第３のコードセットと、
を具備するコンピュータプログラム製品。
【請求項１９】
減少した冗長データ送信でローカルの送信器から遠隔の受信器への信頼性のある送信のための装置であって、
ローカルの送信器から遠隔の受信器に無線リンクコマンドを送信する手段と、
ポーリングイベントの検出に応じて、ユーザプレーンデータの送信を要求することなくポーリングコマンドを送信する手段と、
ステータスＰＤＵを受信する手段と、
を具備する装置。
【請求項２０】
減少した冗長データ送信でローカルの送信器から遠隔の受信器への信頼性のある送信のための装置であって、
メモリと、
前記メモリに格納されている無線リンクコマンドを遠隔の受信器へ送信するローカルの送信器と、
ポーリングイベントの検出に応じて、ユーザプレーンデータの送信を要求することなく前記ローカルの送信器にポーリングコマンドを発生させ送信させるポーリングコンポーネントと、
前記遠隔の受信器からステータスＰＤＵを受信するローカルの受信器と、
を具備する装置。
【請求項２１】
前記ポーリングコマンドは相手にシグナリング情報を送信するためのスーパーフィールドを含んでいるフレキシブルコンテナであるステータスＰＤＵを定義し、
前記ポーリングコマンドはステータスＰＤＵのポーリングスーパーフィールドを具備する請求項２０記載の装置。
【請求項２２】
前記ポーリング情報を送信するためのスーパーフィールドは前記ローカル送信器により送信されたシーケンス番号も示すものである請求項２１記載の装置。
【請求項２３】
前記ポーリング情報を送信するためのスーパーフィールドは前記ローカル送信器により送信された最も高いシーケンス番号も示すものである請求項２１記載の装置。
【請求項２４】
前記ポーリングコンポーネントは、ステータスＰＤＵを請求するためにアクセスノードからアクセスターミナルへの送信のための制御チャネルエントリとしてポーリングＰＤＵを定義する請求項２０記載の装置。
【請求項２５】
前記ポーリングＰＤＵは前記ローカル送信器により送信されたシーケンス番号も示すものである請求項２０記載の装置。
【請求項２６】
前記ポーリングＰＤＵは前記ローカル送信器により送信された最も高いシーケンス番号も示すものである請求項２０記載の装置。
【請求項２７】
前記ポーリングコンポーネントは、可変長ＰＤＵを定義し、データコンテントを実質的に削除するために送信ＰＤＵを再分割し、再分割ＰＤＵのポーリングビットをセットするように構成されている請求項２０記載の装置。
【請求項２８】
データコンテントを実質的に削除するためにデータ長０のデータと以前に送信したＰＤＵのヘッダ部とを伴うＰＤＵを送信することと、
ポーリングコマンドを示すためにＰＤＵのポーリングビットをセットすることと、
をさらに具備する請求項２７記載の装置。
【請求項２９】
データ長０のデータを伴うＰＤＵを送信し、ＰＤＵシーケンス番号を既送信のシーケンス番号にセットすることを具備する請求項２７記載の装置。
【請求項３０】
データ長０のデータを伴うＰＤＵを送信し、ＰＤＵシーケンス番号を最も高いシーケンス番号にセットすることを具備する請求項２７記載の装置。
【請求項３１】
データ長０のデータを伴うＰＤＵを送信し、ＰＤＵシーケンス番号を１だけ増加された最も高いシーケンス番号にセットすることを具備する請求項２７記載の装置。
【請求項３２】
前記ポーリングコンポーネントは、ＰＤＵシーケンス番号を次に利用可能なシーケンス番号にセットするように構成されている請求項２７記載の装置。
【請求項３３】
前記ポーリングコンポーネントは、受信バッファの状態に影響を及ぼさないデータ長０のデータとポーリングコマンドとを送信するように構成されている請求項２７記載の装置。
【請求項３４】
前記ローカル送信器は、高速パケットアクセスエボリューション（ＨＳＰＡ＋）プロトコルに適合しているＰＤＵを送信するようにさらに構成されている請求項２０記載の装置。
【請求項３５】
前記ローカル送信器は、第３世代パートナーシッププロジェクトロングタームエボリューション（３ＧＰＰ  ＬＴＥ）プロトコルに適合しているＰＤＵを送信するようにさらに構成されている請求項２０記載の装置。
【請求項３６】
減少した冗長データの受信で遠隔の送信器からローカルの受信器への信頼性のある受信のための方法であって、
遠隔の送信器からローカルの受信器へ無線リンクコマンドを受信することと、
アクセスノードのポーリングイベント検出に応じて、ユーザプレーンデータの送信を要求することなくポーリングコマンドを受信することと、
シグナリング情報に基づいてステータスＰＤＵを送信することと、
を具備する方法。
【請求項３７】
前記ポーリングコマンドを受信することは相手にシグナリング情報を送信するためのスーパーフィールドを含んでいるフレキシブルコンテナであるステータスＰＤＵを受信することをさらに具備し、
前記ポーリングコマンドはステータスＰＤＵのポーリングスーパーフィールドを具備する請求項３６記載の方法。
【請求項３８】
前記ポーリング情報を送信するためのスーパーフィールドは前記ローカル送信器により送信されたシーケンス番号も示すものである請求項３７記載の方法。
【請求項３９】
前記ポーリング情報を送信するためのスーパーフィールドは前記ローカル送信器により送信された最も高いシーケンス番号も示すものである請求項３７記載の方法。
【請求項４０】
前記ポーリングコマンドを受信することは、ステータスＰＤＵを請求するためにアクセスノードからアクセスターミナルへの送信のための制御チャネルエントリとして定義されたポーリングＰＤＵを受信する請求項３６記載の方法。
【請求項４１】
前記ポーリングＰＤＵは前記ローカル送信器により送信されたシーケンス番号も示すものである請求項４０記載の方法。
【請求項４２】
前記ポーリングＰＤＵは前記ローカル送信器により送信された最も高いシーケンス番号も示すものである請求項４０記載の方法。
【請求項４３】
前記ポーリングコマンドを受信することはデータコンテントを実質的に削除するために再分割され、設定されたポーリングビットが与えられた可変長のＰＤＵを受信することをさらに具備する請求項３６記載の方法。
【請求項４４】
データコンテントを実質的に削除するためにデータ長０のデータと以前に送信したＰＤＵのヘッダ部とを伴うＰＤＵを送信することと、
ポーリングコマンドを示すためにＰＤＵのポーリングビットをセットすることと、
をさらに具備する請求項４３記載の方法。
【請求項４５】
データ長０のデータを伴うＰＤＵを送信し、ＰＤＵシーケンス番号を既送信のシーケンス番号にセットすることを具備する請求項４３記載の方法。
【請求項４６】
データ長０のデータを伴うＰＤＵを送信し、ＰＤＵシーケンス番号を最も高いシーケンス番号にセットすることを具備する請求項４３記載の方法。
【請求項４７】
データ長０のデータを伴うＰＤＵを送信し、ＰＤＵシーケンス番号を１だけ増加された最も高いシーケンス番号にセットすることを具備する請求項４３記載の方法。
【請求項４８】
０データ長と次に利用可能なシーケンス番号にセットされたシーケンス番号とを伴うＰＤＵとしてポーリングコマンドを検出することをさらに具備する請求項４３記載の方法。
【請求項４９】
前記ポーリングコマンドとデータ長０のデータを送信することは、受信バッファの状態に影響を及ぼさない請求項４３記載の方法。
【請求項５０】
前記ＰＤＵを受信することは、高速パケットアクセスエボリューション（ＨＳＰＡ＋）プロトコルに適合している請求項３６記載の方法。
【請求項５１】
前記ＰＤＵを受信することは、第３世代パートナーシッププロジェクトロングタームエボリューション（３ＧＰＰ  ＬＴＥ）プロトコルに適合している請求項３６記載の方法。
【請求項５２】
減少した冗長データの受信で送信器から受信器への信頼性のある受信のために構成された少なくとも１つのプロセッサであって、
送信器から受信器への無線リンクコマンドを受信する第１のモジュールと、
アクセスノードのポーリングイベント検出に応じて、ユーザプレーンデータの送信を要求することなくポーリングコマンドを受信する第２のモジュールと、
シグナリング情報に基づいてステータスＰＤＵを送信する第３のモジュールと、
を具備するプロセッサ。
【請求項５３】
減少した冗長データの受信で送信器から受信器への信頼性のある受信のためのコンピュータプログラム製品であって、
コンピュータ読取可能な媒体は、
コンピュータに送信器から受信器への無線リンクコマンドを受信させる第１のコードセットと、
コンピュータにアクセスノードのポーリングイベント検出に応じて、ユーザプレーンデータの送信を要求することなくポーリングコマンドを受信させる第２のコードセットと、
コンピュータにシグナリング情報に基づいてステータスＰＤＵを送信させる第３のコードセットと、
を具備するコンピュータプログラム製品。
【請求項５４】
減少した冗長データの受信で送信器から受信器への信頼性のある受信のための装置であって、
送信器から受信器への無線リンクコマンドを受信する手段と、
アクセスノードのポーリングイベント検出に応じて、ユーザプレーンデータの送信を要求することなくポーリングコマンドを受信する手段と、
シグナリング情報に基づいてステータスＰＤＵを送信する手段と、
を具備する装置。
【請求項５５】
減少した冗長データの受信で遠隔の送信器から受信器への信頼性のある受信のための装置であって、
メモリと、
前記メモリに格納するため遠隔の送信器から無線リンクコマンドを受信し、ユーザプレーンデータの送信を要求することなくポーリングコマンドを受信する受信器と、
ローカルの送信器と、
ポーリングコマンドに応じて前記ローカルの送信器にステータスＰＤＵを発生させ送信させるステータスコンポーネントと、
アクセスターミナルからステータスＰＤＵを受信するローカルの受信器と、
を具備する装置。
【請求項５６】
前記ローカル受信器は、相手にシグナリング情報を送信するためのスーパーフィールドを含むと定義されたフレキシブルコンテナであるステータスＰＤＵをさらに具備するポーリングコマンドを受信し、
前記ポーリングコマンドはステータスＰＤＵのスーパーフィールドを具備する請求項５５記載の装置。
【請求項５７】
前記ポーリング情報を送信するためのスーパーフィールドは前記ローカル送信器により送信されたシーケンス番号も示すものである請求項５６記載の装置。
【請求項５８】
前記ポーリング情報を送信するためのスーパーフィールドは前記ローカル送信器により送信された最も高いシーケンス番号も示すものである請求項５６記載の装置。
【請求項５９】
前記ローカル受信器は、ステータスＰＤＵを請求するためにアクセスノードからアクセスターミナルへの送信のための制御チャネルエントリとして定義されたポーリングＰＤＵをさらに具備するポーリングコマンドを受信するようにさらに構成されている請求項５５記載の装置。
【請求項６０】
前記ポーリングＰＤＵは前記ローカル送信器により送信されたシーケンス番号も示すものである請求項５９記載の装置。
【請求項６１】
前記ポーリングＰＤＵは前記ローカル送信器により送信された最も高いシーケンス番号も示すものである請求項５９記載の装置。
【請求項６２】
前記ローカル受信器は、データコンテントを実質的に削除するために再分割され、設定されたポーリングビットが与えられた可変長のＰＤＵをさらに具備するポーリングコマンドを受信する請求項５５記載の装置。
【請求項６３】
データコンテントを実質的に削除するためにデータ長０のデータと以前に送信したＰＤＵのヘッダ部とを伴うＰＤＵを送信することと、
ポーリングコマンドを示すためにＰＤＵのポーリングビットをセットすることと、
をさらに具備する請求項６２記載の装置。
【請求項６４】
データ長０のデータを伴うＰＤＵを送信し、ＰＤＵシーケンス番号を既送信のシーケンス番号にセットすることを具備する請求項６２記載の装置。
【請求項６５】
データ長０のデータを伴うＰＤＵを送信し、ＰＤＵシーケンス番号を最も高いシーケンス番号にセットすることを具備する請求項６２記載の装置。
【請求項６６】
データ長０のデータを伴うＰＤＵを送信し、ＰＤＵシーケンス番号を１だけ増加された最も高いシーケンス番号にセットすることを具備する請求項６２記載の装置。
【請求項６７】
前記ステータスコンポーネントは、０データ長と次に利用可能なシーケンス番号にセットされたシーケンス番号とを伴うＰＤＵとしてポーリングコマンドを検出する請求項６２記載の装置。
【請求項６８】
前記ステータスコンポーネントは、受信バッファの状態を変化しないでポーリングコマンドとデータ長０を検出する請求項６２記載の装置。
【請求項６９】
前記ローカル受信器は高速パケットアクセスエボリューション（ＨＳＰＡ＋）プロトコルに適合しているＰＤＵを受信するように構成されている請求項５５記載の装置。
【請求項７０】
前記ローカル受信器は第３世代パートナーシッププロジェクトロングタームエボリューション（３ＧＰＰ  ＬＴＥ）プロトコルに適合しているＰＤＵを受信するように構成されている請求項５５記載の装置。
【発明の詳細な説明】
【優先権の主張】
【０００１】
本願発明は本願の譲受人に譲渡され、２００７年３月１６日に出願され、「無線通信システムにおけるポーリングのための方法及び装置」と題し、参照により本願に明示的に組み込まれた米国特許仮出願第６０／８９５，３９４の優先権を主張する。また、本願発明は本願の譲受人に譲渡され、２００７年３月１７日に出願され、「無線通信システムにおけるポーリングのための方法及び装置」と題し、参照により本願に明示的に組み込まれた米国特許仮出願第６０／８９５，４５１の優先権をも主張する。
【技術分野】
【０００２】
本説明は信頼性があると定評のある無線アクセスネットワークを用いる送信器から受信器へのデータパケット伝送に関する。
【背景技術】
【０００３】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ：第３世代パートナーシッププロジェクト）シリーズの規格書のレイヤ２規格書は無線リンクコントロール（ＲＬＣ：  Ｒａｄｉｏ  Ｌｉｎｋ  Ｐｒｏｔｏｃｏｌ）プロトコルの一部としての自動再送要求（ＡＲＱ：  Ａｕｔｏｍａｔｉｃ  Ｒｅｐｅａｔ  Ｒｅｑｕｅｓｔ）メカニズムを特徴づける。ＲＬＣがプロトコルデータユニット（ＰＤＵ：  Ｐｒｏｔｏｃｏｌ  Ｄａｔａ  Ｕｎｉｔ）を作成する場合、データはより低い層に提出され、その受信が受信器によって確認されるまで、あるいは廃棄タイマがＰＤＵを廃棄する命令を出すまで、バッファされる。受信器が受信シーケンス中の紛失パケットを発見できるととともに受信ＰＤＵのストリームを再配置できるように、単調増加するシーケンス番号が各ＰＤＵに割り当てられる。
【０００４】
ＲＬＣはパケットフォーマットおよび送信器がその情報を要求する手続、これは選択されたＰＬＣ  ＰＤＵ内の特定のポール（Ｐｏｌｌ）ビットをセットすることにより行われる、とともにステータス（ＳＴＡＴＵＳ）  ＰＤＵを介した受信器からバッファステータス情報を運ぶ手続を指定する。
【０００５】
様々なタイマーおよびイベントはポールあるいはステータス制御コマンドのいずれかの送信を引き起こす。例えば、送信器は周期的な間隔で、Ｎ  ＰＤＵが送信されるごとに、あるいはＲＬＣバッファ中の最後のデータが送信される時は常にポールコマンドを送信してもよい。受信器は独立して周期的な間隔（つまりＮ  ＰＤＵが受信されるごとに）で、あるいはシーケンス番号中の穴のために紛失ＰＤＵを送信してもよい。
【０００６】
送信器がポールを送信する場合、送信器は未確認のＰＬＣ  ＰＤＵを選択し、受信器にポールコマンドを伝えるために“１”にセットされたポールビットを伴うＰＤＵを再送信する。そのような実装の一例はユニバーサルモバイルテレコミュニケーションシステム（ＵＭＴＳ）リリース５中にある。ＨＳＰＡ＋（Ｈｉｇｈ  Ｓｐｅｅｄ  Ｐａｃｋｅｔ  Ａｃｃｅｓｓ  Ｅｖｏｌｕｔｉｏｎ：高速パケットアクセスエボリューション）および３ＧＰＰ  ＬＴＥ（第３世代パートナーシッププロジェクト  Ｌｏｎｇ  Ｔｅｒｍ  Ｅｖｏｌｕｔｉｏｎ：ロングタームエボリューション）の両方のシステムアーキテクチャの変更はオーバーヘッドを減少するためにより大きなＰＤＵを支援する。完全なＰＤＵを再送信することは適度のサイズのＰＤＵのための満足な解決だったかもしれないが、より新しいシステムでの大きなＰＤＵを再送信することは無駄となる可能性がある。
【発明の概要】
【０００７】
下記は開示された態様のいくつかの態様の基本的な理解を提供するために単純化された要約を示す。
【０００８】
この要約は広範囲な概観でなく、キーや重大な要素を特定しない、あるいはそのような態様の範囲を描かないことを意図する。
【０００９】
その目的は後で示されるもっと詳細な記述の序文として単純化された形式で記述された特徴のいくつかの概念を提示することである。
【００１０】
それの１つ以上の態様および対応する開示に従って、種々の態様はユーザデータの再送信を不要とする、したがってデータ効率を増加する形式でポーリングリクエストが送信されるデータパケット伝送アプローチに関して記述される。
【００１１】
１つの態様ではローカルの送信器から遠隔の受信器への冗長な可能性のあるデータの送信を減少し信頼性のある送信のための方法が提供される。無線リンクコマンドはローカルの送信器から遠隔の受信器に送信される。ＲＬＣ  ＰＤＵの以前に送信されたデータを実質的に省略するポーリングコマンドはポーリングイベントの検出に応じて送信される。その後、受信器からステータスＰＤＵが受信される。
【００１２】
別の態様では少なくとも１台のプロセッサはローカルの送信器から遠隔の受信器への冗長な可能性のあるデータの送信を減少し信頼性のある送信のために構成される。第１のモジュールはローカルの送信器から遠隔の受信器に無線リンクコマンドを送信する。第２のモジュールはポーリングイベントの検出に応じて、ユーザプレーンのデータの送信を要求せずに、ポーリングコマンドを送信する。第３のモジュールは遠隔の受信器からステータスＰＤＵを受信する。
【００１３】
他の態様では送信器から受信器までの冗長な可能性のあるデータの送信を減少し信頼性のある送信のためのコンピュータプログラム製品が提供される。コンピュータ読取可能媒体はコンピュータにローカルの送信器から遠隔の受信器に無線リンクコマンドを送信させるためのコードの第１のセットを有する。コードの第２のセットはコンピュータに、ポーリングイベントの検出に応じてユーザプレーンのデータの送信を要求せずにポーリングコマンドを送信させる。コードの第３のセットはコンピュータにステータスＰＤＵを受信させる。
【００１４】
さらに他の態様ではローカルの送信器から遠隔の受信器への冗長な可能性のあるデータの送信を減少し信頼性のある送信のための装置が提供される。ローカルの送信器から遠隔の受信器に無線リンクコマンドを送信するための手段が提供される。ポーリングイベントの検出に応じて、ユーザプレーンのデータの送信を要求せずにポーリングコマンドを送信するための他の手段が提供される。さらに、受信器からステータスＰＤＵを受信するためのさらなる手段が提供される。
【００１５】
さらに他の態様ではローカルの送信器から遠隔の受信器への冗長な可能性のあるデータの送信を減少し信頼性のある送信のためのメモリを含む装置が提供される。ローカルの送信器はメモリに含まれる無線リンクコマンドを遠隔の受信器に送信する。ポーリングコンポーネントは発生し、ローカルの送信器にポーリングイベントの検出に応じて、ユーザプレーンのデータの送信を要求せずにポーリングコマンドを送信させる。ローカルの受信器は遠隔の受信器からステータスＰＤＵを受信する。
【００１６】
別の態様では冗長な可能性のあるデータの受信を減少し、ローカルの受信器において遠隔の送信器から信頼性のある受信のための方法が提供される。無線リンクコマンドは送信器から受信器へ受信される。ＲＬＣ  ＰＤＵの以前に送信されたデータを本質的に省略するポーリングコマンドが送信器によるポーリングイベントの検出に応じて受信される。その後、ステータスＰＤＵはシグナリング情報に基づいて送信される。
【００１７】
別の態様では少なくとも１台のプロセッサは冗長な可能性のあるデータの受信を減少し、ローカルの受信器において遠隔の送信器から信頼性のある受信ができるように構成される。第１のモジュールは遠隔の送信器からローカルの受信器への無線リンクコマンドを受信する。第２のモジュールはリモート送信器によるポーリングイベントの検出に応じて、ユーザプレーンのデータの送信を要求せずに、ポーリングコマンドを受信する。第３のモジュールはシグナリング情報に基づいてステータスＰＤＵを送信する。
【００１８】
他の態様では遠隔の送信器からローカルの受信器までの冗長な可能性のあるデータの受信を減少し信頼性のある受信のためのコンピュータプログラム製品が提供される。コンピュータ読取可能媒体はコンピュータに遠隔の送信器からローカルの受信器に無線リンクコマンドを受信させるためのコードの第１のセットを有する。コードの第２のセットはコンピュータに、ユーザプレーンのデータの送信を要求せずに遠隔の送信器によるポーリングイベントの検出に応じてポーリングコマンドを受信させる。コードの第３のセットはコンピュータにシグナリング情報に基づいてステータスＰＤＵを送信させる。
【００１９】
さらに他の態様では冗長な可能性のあるデータの受信を減少し、ローカルの受信器において遠隔の送信器から信頼性のある受信のための装置が提供される。遠隔の送信器からローカルの受信器に無線リンクコマンドを受信するための手段が提供される。送信器によるポーリングイベントの検出に応じて、ユーザプレーンのデータの送信を要求せずにポーリングコマンドを受信するための他の手段が提供される。シグナリング情報に基づいてステータスＰＤＵを送信するためのさらなる手段が提供される。
【００２０】
さらに他の態様では冗長な可能性のあるデータの受信を減少しローカルの受信器において遠隔の送信器から信頼性のある受信のためのメモリとローカルの受信器を含む装置が提供される。ローカルの受信器はユーザプレーンのデータの送信を要求せずにポーリングコマンドを受信するため、及びメモリに格納するための遠隔の送信器から無線リンクコマンドを受信する。ステータスコンポーネントは発生し、受信器をポーリングコマンドに応答してステータスＰＤＣを送信させる。
【００２１】
上述した及び関連づけ目的と達成するために、１つ以上の態様がクレームに完全に記述され、格別に指摘された特徴を含む。
【００２２】
以下の記述、および添付された図面は図示された態様を詳細に述べるが、態様の原理が適用される種々の方法のほんのわずかの方法を示す。他の利点および新規な特徴は図面と共に考慮された以下の詳細な記述から明白になるであろう。開示された態様はそのような態様およびそれらの均等物をすべて含むように意図される。
【図面の簡単な説明】
【００２３】
本開示の特徴、性質および利点は図中を通して同じ参照数字が対応するものを指す図面と共に考慮された以下の詳細な記述からより明白になるであろう。
【図１】図１は送信器による信頼性のある確認データパケット送信と、受信器による信頼性のある確認データパケット受信のための通信システムのブロック図を示す。
【図２】図２はポーリングコマンドを利用する信頼性のある送信のためのフロー図を示す。
【図３】図３は１つの態様に従いポール情報を通信するために使われるＳＵｐｅｒ  ＦＩｅｌｄｓ（ＳＵＦＩ）フォーマットのデータ構造のブロック図を示す。
【図４】図４は他の態様に従いポール情報を通信するために使われる無線リンクコントロール（ＲＬＣ）プロトコルデータユニット（ＰＤＵ）フォーマットのデータ構造のブロック図を示す。
【図５】図５はさらに他の態様のＲＣＬ  ＡＭデータ（ＡＭＤ）ＰＤＵの実例となるデータ構造のブロック図を示す。
【図６】図６はポーリングコマンドを支援するための１つの態様による多元接続無線通信システムの図を示す。
【図７】図７はポーリングコマンドの支援のための通信システムの概要のブロック図を示す。
【図８】図８は受信器へポーリングコマンドを送るためにモジュールを有する送信器のブロック図を示す。
【図９】図９はポーリングコマンドを受信しステータスＰＤＵで応答するためのモジュールを有する受信器のブロック図を示す。
【発明を実施するための形態】
【００２４】
データパケット通信システムは自動再送要求（ＡＲＱ）構成を伴って送信器と受信器の間で無線リンクコントロール（ＲＬＣ）送信を使用する。自動再送要求（ＡＲＱ）構成により、冗長な可能性のあるデータの減少した送信量で受信器のポーリングが成し遂げられる。送信器の送信バッファが空になる、ポーリングタイマーの終了、あるいはＲＬＣプロトコルデータユニット（ＰＤＵ）カウントしきい値に達する、あるいは多数の顕著な送信されたバイトしきい値に達することのようなポーリングイベントに応答して、送信器は受信器へポーリングコマンドを送信する。ポーリングコマンドはＲＬＣ  ＰＤＵのどれよりも小さい可能性がある。実例となる態様ではポーリングコマンドはポーリングのためにスーパーフィールド（ＳＵＦＩ）を含んでいるアクセスノードから送られたステータスＰＤＵであり得る。ポーリングコマンドは専用コントロールであるポーリングＰＤＵであり得る。ポーリングコマンドは完全にデータを除去するために寸法で分類された縮退されたＲＬＣ  ＰＤＵであり得る。したがって、ポーリングコマンドの使用はアクセスターミナルからステータスＰＤＵを喚起するためにポーリングビットセットを伴う十分なＲＬＣ  ＰＤＵを再び送る慣習アプローチの使用をしないようにする。ＨＳＰＡ＋（高速パケットアクセスエボリューション）および３ＧＰＰ  ＬＴＥ（すなわちロングタームエボリューション（ＬＴＥ））のための１キロバイトを越えるように大きなＰＤＵの傾向があるエボリューションした通信規格で、この非能率がインパクトを増加させ得る。
【００２５】
種々の態様が今、図面を参照して記述される。以下の記述では説明の目的のために、多数の特定の詳細は１つ以上の態様についての完全な理解を提供するために述べられている。しかしながら、種々の態様はこれらの特定の詳細なしで実行され得ることは明白である。他の実例では周知の構造および装置はこれらの態様について記述することを容易にするためにブロック図の形で示される。
【００２６】
この出願の中で使用された、用語「コンポーネント」、「モジュール」、「システム」等はハードウェア、ハードウェアとソフトウェアの組み合わせ、ソフトウェア、あるいは実行中のソフトウェアのいずれかであるコンピュータ関連の構成要素を参照するように意図される。例えば、コンポーネントはそれに限定されないが、プロセッサ上で実行されるプロセス、プロセッサ、オブジェクト、実行可能なファイル、実行中のスレッド、プログラム、および／またはコンピュータであり得る。実例として、サーバー上で作動するアプリケーションとサーバーの両方はコンポーネントになり得る。１つ以上のコンポーネントがプロセスおよび／または実行のスレッド内に存在するかもしれない。コンポーネントは１つのコンピュータ上に配置され、および／または２つ以上のコンピュータ間で分配されるかもしれない。
【００２７】
「典型的である」という単語は例、実例あるいは実例として役立つことを意味するためにここで使用される。「典型的である」としてここに記述されたどんな態様あるいは設計は必ずしも他の態様あるいは設計に比べて好適である、あるいは利点があるとは解釈されない。
【００２８】
更に、１つ以上のバージョンはコンピュータを開示された態様を実行するように制御するためにソフトウェア、ファームウェア、ハードウェアあるいはそれらの任意の組合せを生産するためのエンジニアリング技術、標準的なプログラムを使う生産品、装置、方法として実行されるかもしれない。ここに使用されるような生産品（あるいはコンピュータプログラム製品）は任意のコンピュータ読取可能装置、搬送波あるいは媒体からアクセス可能なコンピュータプログラムを包含するように意図される。例えば、コンピュータ読取り可能な媒体はそれに限定されないが、磁気記憶装置（例えばハードディスク、フロッピー（登録商標）ディスク、磁気ストリップ．．．）、光ディスク（例えばコンパクトディスク（ＣＤ）、ディジタルバーサタイルディスク（ＤＶＤ）．．．）、スマートカードおよびフラッシュメモリー装置（例えば、カード、スティック）を含み得る。電子メールを送受信するか、インターネットあるいはローカルのエリアネットワーク（ＬＡＮ）のようなネットワークにアクセスするのに使用されるもののようなコンピュータが読み取り可能な電子データを運ぶために搬送波を使用することができることはさらに、認識されるべきである。もちろん、当業者は開示された態様の範囲から逸脱することなく多数の修正がこの構成になされるかもしれないことを認識するであろう。
【００２９】
種々の態様は多数のコンポーネント、モジュール等を含み得るシステムに関して示される。様々なシステムが追加のコンポーネント、モジュール等を含むかもしれないし、かつ図に関連して議論されたコンポーネント、モジュール等のすべてを含んでいるとは限らないことが理解され認められるべきである。これらのアプローチの組合せも使用されてもよい。ここに示された種々の態様はタッチスクリーンディスプレイ技術および／またはマウス−キーボード型のインターフェースを利用する装置を含む電気装置上で実行され得る。そのような装置の例はコンピュータ（であるクトップとモバイル）、スマートフォン、個人ディジタルアシスタンス（ＰＤＡ）、および他の有線、無線いずれの電子機器を含んでいる。
【００３０】
図面に戻って、図１では通信システム１０は送信器１２から受信器１４への信頼性のあるデータパケット送信を提供する。ユーザデータは受信器１４によって受信されるリンク２４によって無線リンクコントロール２２によって送信されるまで、送信器（ＴＸ）ウィンドウ２０中で格納される多数の無線リンクコントロール（ＲＬＣ）ＰＤＵ  １６、１７、１８に分割される。そのＲＬＣ２６はＲＸウィンドウステータスコンポーネント３０によって追跡されたシグナリングステータスで処理するため、ＲＸウィンドウ２８中に受信ＲＬＣ  ＰＤＵ１６〜１８を格納する。送信器１２の中のＴＸウィンドウポールイベント（例えばタイマー）コンポーネント３２は受信器１４のＲＸウィンドウ２８のステータスに関する必要性を決定する。ポールコマンドメッセージ３４はＲＸウィンドウポーリングコンポーネント３６によって準備されており、受信器１４へリンク２４によって送信され、次にはアップリンク４０によってＲＸウィンドウステータス３８で応答する。
【００３１】
無線リンクコントロールはＡＲＱ（自動再送要求）を可能にする他の中でもＨＳＰＡのＲＬＣ、および３ＧＰＰの中のＬＴＥのＲＬＣのような通信システムのレイヤ２のプロトコルであることは本開示の利益によって理解されるべきである。更に、ここに記述された技術はＣＤＭＡ、ＴＤＭＡ、ＦＤＭＡ、ＯＦＤＭＡ、ＳＣ−ＦＤＭＡおよび他のシステムのような様々な無線通信システムに使用されてもよい。「システム」、「ネットワーク」という用語はしばしば取り替えて使用される。ＣＤＭＡシステムはユニバーサルテレストリアルラジオアクセス（ＵＴＲＡ）、ｃｄｍａ２０００等のような無線技術を実行するかもしれない。ＵＴＲＡは広帯域ＣＤＭＡ（Ｗ−ＣＤＭＡ）およびＣＤＭＡの他の変形を含んでいる。ＣＤＭＡ２０００はＩＳ−２０００、ＩＳ−９５およびＩＳ−８５６標準をカバーする。ＴＤＭＡシステムは移動体通信のためのグローバルシステム（ＧＳＭ）のような無線技術を実行するかもしれない。ＯＦＤＭＡシステムはエボリューションしたＵＴＲＡ（Ｅ−ＵＴＲＡ）、Ｕｌｔｒａモバイル広帯域（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭ（登録商標）等のような無線技術を実行するかもしれない。ＵＴＲＡおよびＥ−ＵＴＲＡはユニバーサルモバイルテレコミュニケーションシステム（ＵＭＴＳ）の一部である。３ＧＰＰのロングタームエボリューション（ＬＴＥ）はダウンリンクでＯＦＤＭＡを使用し、アップリンクでＳＣ−ＦＤＭＡを用いるＥ−ＵＴＲＡを使用するＵＭＴＳの来たるべきリリースである。ＵＴＲＡ、Ｅ−ＵＴＲＡ、ＵＭＴＳ、ＬＴＥおよびＧＳＭは「第３世代パートナーシッププロジェクト（３ＧＰＰ）」という名の組織からの文書に記述される。ＣＤＭＡ２０００とＵＭＢは「第３世代パートナーシッププロジェクト２（３ＧＰＰ２）」という名の組織からの文書に記述される。これらの様々な無線技術および標準は当業界で知られている。
【００３２】
ＨＳＰＡ＋およびＬＴＥによってもたらされているエボリューションに先立って、ＲＬＣが例えば２０、４０あるいは８０バイトの固定サイズＰＤＵへユーザデータを分割することは本開示の利益で認識されるべきである。このために、送信バッファが空になった後にポーリングを開始するために、〜２０、４０あるいは８０バイトの一つのＰＤＵがポールビットセットとともに再送信される必要があることが認識される。しかしながら、この方法はユーザのペイロードのサイズと比較して重要でないオーバーヘッドを導入する。
【００３３】
ＨＳＰＡ＋およびＬＴＥのための通信プロトコルはプロトコル効率を改善し、かつ処理を減するために可変サイズのＲＬＣ  ＰＤＵを許容する。ＲＬＣ  ＰＤＵサイズはチャネルに割り当てられたトランスポートブロックのサイズによって選択される。物理層で非常に高いスループットが可能にされるとすれば、ＲＬＣ  ＰＤＵのサイズは１キロバイトを越え得る。既存の規格書を修正することなく、受信器をポーリングするためにＲＬＣがそのような大きな１つのＲＬＣ  ＰＤＵを送信する必要があるであろうことが認識される。種々の態様はポール情報を通信するために必要なオーバーヘッドを最小化する無線通信システムでポーリングを開始することに関係がある。特に、１つの態様は以前に送信されたユーザデータの再送信を要求せずに、ポール情報を通信することに関係がある。現在の方法より効率的なポール情報を通信する様々な方法が以下に議論される。
【００３４】
図２ではポーリングの伝送用の方法１００は増加したデータ伝送効率のために、ＲＬＣ  ＰＤＵ１６〜１８を再送達するのではなく、ポールコマンド３４をフォーマットするための多数の方法とともに、ポールイベントを検出する多数の方法も示す。交互に、あるいは選択的に使用されるポールコマンド３４の各タイプはＲＬＣ  ＰＤＵ１６〜１８よりも実質的に小さい。ブロック１０２ではポーリングイベントがポーリングタイマーの終了かどうかに関して決定がなされる。そうでなければ、ブロック１０４で、ＰＤＵカウントまたはバイトカウントしきい値が満たされたかどうかに関してさらなる決定がなされる。そうでなければ、ブロック１０６で、送信器（ＴＸ）ウィンドウが空かどうかに関して更なる決定がなされる。ポーリングコマンドを開始するためにどのポーリングイベントが使用されるかに関係なくて、この発明を適用することができることが注目されるべきである。この発明は今後定義されるかもしれない他のポーリングイベントにも適用される。そうでなければ、そのプロセスはポーリングイベントが検出されるのを待ち続けるためにブロック１０２に戻る。１つあるいは２つのそのようなイベントだけがモニターされるかもしれないことが認識されるべきである。
【００３５】
例えば、ブロック１０２、１０４、１０６でポーリングイベントのうちのいずれかが検出される場合、ポール送信コマンドがブロック１０８で実行される。実例となるバージョンでは３つのポールコマンド３４、ステータスＰＤＵ（ブロック１１０）を伴いポーリングされる、ポーリングＰＤＵ（ブロック１１２）を伴いポーリングされる、および０データＲＬＣ  ＰＤＵ（ブロック１１４）、が記述される。その後、送信器はブロック１１６中のステータスＰＤＵである、受信器からのレスポンスを受信する。
【００３６】
ステータスＰＤＵを伴うポール。
【００３７】
ステータスＰＤＵはスーパーフィールド（ＳＵＦＩ）という名の情報要素用のフレキシブルコンテナである。受信シーケンス番号のシーケンス中の最も高いものの受信確認のために使われるＡｃｋ  ＳＵＦＩ、開始シーケンス番号からＡｃｋ／Ｎａｋシーケンスをリストするために使われるリストＳＵＦＩ、Ａｃｋ／Ｎａｋをビットマップの形で表わすビットマップＳＵＦＩを含む多数のＳＵＦＩが定義される。送信器（例えばアクセスノード）および受信器（例えば、アクセスターミナル）の両方はそれらの相手にＲＬＣシグナリング情報を伝えるためにステータスＰＤＵを使用してもよい。１つの態様によれば、ポールコマンドを伝えるために使用することができる新しいＳＵＦＩ２００が定義されるかもしれない。ポールＳＵＦＩ２００のための可能な１つのフォーマットは図３に示される。それはステータスＰＤＵに含まれている「ポーリングする」に等しいタイプセットのデータフィールドを含む。
【００３８】
ポーリングが必要な場合、送信器は図３に示される例のようなポールＳＵＦＩ２００を含んでいるステータスＰＤＵを作成する。ポールＳＵＦＩ２００を含んでいるステータスＰＤＵは状況報告を準備する場合に受信器で利用可能な情報を最大限にするために送信された最も高いシーケンス番号を含んでいてもよい。あるいは新しいＳＵＦＩはポールＳＵＦＩとは別々に送信された最も高いシーケンス番号を搬送するために定義することができる。
【００３９】
ポーリングＰＤＵを伴うポール。
【００４０】
ＲＬＣは常にＲＬＣ  Ａｃｋ（確認）モードＰＤＵ（ＡＭＤ  ＰＤＵ）、ＲＬＣ  ＵｎＡｃｋ（未確認）モードＰＤＵ（ＵＭＤ  ＰＤＵ）、上で定義されたＳＴＡＴＵＳメッセージあるいは受信器をリセットするために使われるＲＥＳＥＴ  ＰＤＵのようなユーザデータを搬送するフォーマットを含む様々なパケットフォーマットを定義することができる。
【００４１】
別の態様によれば、新しいＲＬＣ  ＰＤＵデータ構造はポールコマンドを搬送するために定義されるかもしれない。ポーリングＰＤＵのための可能なフォーマットはデータあるいはコントロール（Ｄ／Ｃ）ビット２１２及び最初のオクテットでのＰＤＵタイプフィールド２１４で始まる図４に具体的に示されている通りである。ポーリングＰＤＵ２１０は受信器で利用可能な情報を最大限にするために送信された第２のオクテットに示されている最も高いシーケンス番号フィールド２１６を含んでいるかもしれない。後のオクテットのパッドフィールド２１８はＰＤＵ２１０の長さを維持するために含むことができる。フィールド２１８が存在する場合、Ｄ／Ｃビットはコントロールを示す。フィールド２１８が存在しない場合、ＰＤＵタイプフィールドはポールを示す。最も高いシーケンス番号の存在は任意かもしれない。また、その包含はビットで示されるかもしれない。
【００４２】
ゼロレングスＲＬＣ  ＡＭＤ  ＰＤＵを伴うポール。
【００４３】
交互に、あるいはポーリングＰＤＵ２１０のような制御データ構造の利用に加えて、ＲＬＣ  ＡＭＤ  ＰＤＵフォーマットはデータを含んでいない再分割されたＡＭＤ  ＰＤＵ２３０を容易にするのに適している場合がある。より高い層からのデータ情報はＡＭデータ（ＡＭＤ）と呼ばれる。図５はＡＭＤ  ＰＤＵ２３０の実例を示す。最初のオクテットで、Ｄ／Ｃビット２３２およびシーケンス番号フィールド２３４を備え、第２のオクテットで、シーケンス番号フィールド２３６、ポールビット２３８、次のオクテットがヘッダ情報（ＬＩ）あるいはデータかを示す２ビットのＨＥフィールド２４０を備え、第３のオクテットで長さ指標フィールド２４２、次のオクテットがヘッダまたはデータかを示す１ビットのＥ（拡張）フィールドを備える。
【００４４】
最も高い送信されたシーケンス番号がＮである場合、ポールコマンドは長さ“０”のペイロードでＲＬＣ  ＡＭＤ  ＰＤＵ２１０の上でポールビットを“１”にセットすることにより、受信器に伝えられるかもしれない。長さ指標は“０”にセットされるかもしれない。受信器は０データとポールビットのセットを伴うＰＤＵをポーリングコマンドとして解釈し、その受信バッファに受信ＰＤＵを格納することを試みない。特定の意味論によって、ｄが整数である場合、ＰＤＵの中でシーケンス番号をＮ＋１あるいはＮ＋ｄにセットすることによりポールコマンドに沿った最も高いシーケンス番号が示されるかもしれない。
【００４５】
しかしながら、上述したように、受信器の処理は空のＡＭＤ  ＰＤＵの受信に対処するために修正することができることは認識されるべきである。
【００４６】
本発明の態様は、これらに限定されないが、リリース７の３ＧＰＰ  ＴＳ  ２５．３２２  Ｖ７．２．０（２００６−０９）及び規格グループ無線アクセスネットワークと、エボリューションされたユニバーサルテレストリアル無線アクセス（Ｅ−ＵＴＲＡ）及びエボリューションされたユニバーサルテレストリアル無線アクセスネットワーク（Ｅ−ＵＴＲＡＮ）と、総合的な記述と、ステージ２（レリース８）の３ＧＰＰ  ＴＳ  ３６．３００を含む無線リンクコントロール（ＲＬＣ）プロトコル規格書のどのバージョンも実行するシステムに関するかもしれない。しかしながら、種々の態様が他のタイプのネットワークに適用可能かもしれないことも認識されるべきである。
【００４７】
音声、データ等のような様々なタイプのコミュニケーションコンテントを提供するために、無線通信システムが広く展開することは認識されるべきである。これらのシステムは利用可能なシステムリソース（例えば帯域幅および送信パワー）の共有により、多数のユーザとのコミュニケーションをサポートすることができる多重アクセスシステムであってもよい。そのような多重アクセスシステムの例は符号分割多重アクセス（ＣＤＭＡ）システム、時分割多重アクセス（ＴＤＭＡ）システム、周波数分割多重アクセス（ＦＤＭＡ）システムおよび直交周波数分割多重アクセス（ＯＦＤＭＡ）システムを含んでいる。
【００４８】
一般に、無線多重アクセス通信システムは同時に多数の無線ターミナルのためのコミュニケーションをサポートすることができる。各ターミナルはそれぞれ順方向と逆方向リンク上の伝送によって１つ以上の基地局と通信する。順方向リンク（あるいはダウンリンク）は基地局からターミナルへの通信リンクを指し、逆方向リンク（あるいはアップリンク）はターミナルから基地局への通信リンクを指す。この通信リンクは単一イン・単一アウト（ＳＩＳＯ）、多重イン・単一アウト、あるいは多重イン・多重アウト（ＭＩＭＯ）システムにより確立されるかもしれない、
ＭＩＭＯシステムはデータ伝送のために多数の（ＮＴ）送信アンテナ及び多数の（ＮＲ）受信アンテナを用いる。ＮＴ個の送信アンテナ及びＮＲ個の受信アンテナによって形成されたＭＩＭＯチャネルはＮＳ個の独立したチャネル、それらは空間チャネルと呼ばれる、へ分解されるかもしれない。ここで、ＮＳ≦ｍｉｎ｛ＮＴ，ＮＲ｝。ＮＳ個の独立したチャネルの各々は１次元に相当する。多数の送信アンテナ、受信アンテナによって形成された付加的な次元が利用される場合は、ＭＩＭＯシステムは改善された性能（例えばより高いスループットおよび／またはより大きな信頼性）を提供することができる。
【００４９】
ＭＩＭＯシステムは時分割複信（ＴＤＤ）および周波数分割複信（ＦＤＤ）システムを支援する。ＴＤＤシステムでは、順方向、逆方向リンク上の伝送が同じ周波数領域上にあるので、相互原則が逆方向リンクチャネルから順方向リンクチャネルの推定を可能とする。これは、アクセスポイントで多数のアンテナが利用可能である場合、アクセスポイントで順方向リンク上でのビームフォーミングゲインを抽出することを可能とする。
【００５０】
図６を参照して、１つの態様による多重アクセス無線通信システムが図解される。アクセスポイント３００（ＡＰ）は多数のアンテナグループを含んでいる。１つのグループはアンテナ３０４と３０６を含んでいる。他のグループはアンテナ３０８と３１０を含んでいる。さらに別のグループはアンテナ３１２と３１４を含んでいる。図６では２つのアンテナだけが各アンテナグループのために示されているが、より多く、あるいはより少数のアンテナが各アンテナグループのために利用されてもよい。アクセスターミナル３１６（ＡＴ）はアンテナ３１２および３１４と通信状態である。アンテナ３１２と３１４は順方向リンク３２０によってアクセルターミナル３１６に情報を送信し、逆方向リンク３１８によってアクセスターミナル３１６から情報を受信する。
【００５１】
アクセスターミナル３２２はアンテナ３０６および３０８と通信状態である。アンテナ３０６と３０８は順方向リンク３２６によってアクセルターミナル３２２に情報を送信し、逆方向リンク３２４によってアクセスターミナル３２２から情報を受信する。ＦＤＤシステムでは、通信リンク３１８、３２０、３２４および３２６は異なる周波数を通信に使用するかもしれない。例えば、順方向リンク３２０は逆方向リンク３１８によって使用されたのとは異なる周波数を使用するかもしれない。
【００５２】
通信することを目指しているアンテナグループおよび／またはエリアグループの各々はアクセスポイントのセクタとしばしば呼称される。この態様ではアンテナグループの各々はアクセスポイント３００によってカバーされたエリアのセクタ内のターミナルにアクセスするために通信することを目指している。
【００５３】
順方向リンク３２０、３２６による通信で、アクセスポイント３００の送信アンテナは異なるアクセスターミナル３１６、３２４のための順方向リンクの信号対雑音比を改善するためにビームフォーミングを利用する。さらに、そのカバレッジを通じて任意に散在したアクセスターミナルに送信するためにビームフォーミングを使用するアクセスポイントは、その全てのアクセスターミナルに単一のアンテナを介して送信するアクセスポイントに比べて近隣のセルのアクセスターミナルにより少ない妨害を引き起こす。
【００５４】
アクセスポイントはターミナルと通信するために使用された固定局かもしれないし、アクセスポイント、ノードＢあるいは他のある用語として参照されるかもしれない。アクセスターミナルも、アクセスターミナル、ユーザ設備（ＵＥ）、無線通信装置、ターミナル、アクセスターミナルあるいは他のある用語として参照されるかもしれない。
【００５５】
図７はＭＩＭＯシステム４００における送信器システム４１０（アクセスポイントとしても知られている）および受信器システム４５０（アクセスターミナルとしても知られている）の態様のブロック図である。送信器システム４１０では多数のデータストリーム用のトラフィックデータはデータ源４１２から送信（ＴＸ）データプロセッサ４１４に提供される。
【００５６】
一態様ではデータストリームはそれぞれ送信アンテナを通して送信される。ＴＸデータプロセッサ４１４は符号化データを提供するためにそのデータストリームのために選ばれた特定の符号体系に基づいて各データストリームのトラフィックデータをフォーマットし、符号化し、インターリーブする。
【００５７】
各データストリームの符号化データはＯＦＤＭ技術を使用してパイロットデータにより多重化されるかもしれない。パイロットデータは典型的には、既知のやり方で処理され、チャネル応答を評価するために受信器システムで使用されるかもしれない既知のデータパターンである。その後、各データストリームで多重化されたパイロットデータおよび符号化データは変調シンボルを提供するためにそのデータストリームのために選ばれた特定の特別の変調方法（例えばＢＰＳＫ、ＱＳＰＫ、Ｍ−ＰＳＫあるいはＭ−ＱＡＭ）に基づいて変調される（つまりシンボルがマッピングされる）。各データストリームのデータレート、符号化および変調はプロセッサ４３０によって行なわれた命令によって決定されるかもしれない。
【００５８】
その後、すべてのデータストリームの変調シンボルはＴＸ  ＭＩＭＯプロセッサ４２０に提供される。プロセッサ４２０は変調シンボル（例えばＯＦＤＭのための）をさらに処理するかもしれない。その後、ＴＸ  ＭＩＭＯプロセッサ４２０はＮＴ個の送信器（ＴＭＴＲ）４２２ａ〜４２２ｔにＮＴ個の変調シンボルストリームを供給する。ある実装ではＴＸ  ＭＩＭＯプロセッサ４２０はデータストリームのシンボル、およびシンボルが送信されているアンテナにビームフォーミングの重みを与える。
【００５９】
送信器４２２はそれぞれ、１つ以上のアナログ信号を提供するためにシンボルストリームを受信し、処理し、さらにＭＩＭＯチャネルによる伝送に適する変調信号を提供するためにアナログ信号をさらに整える（例えば、増幅し、フィルタし、アップコンバートする）。その後、送信器４２２ａ〜４２２ｔからのＮＴ個の変調信号がＮＴ個のアンテナ４２４ａから４２４ｔを介してそれぞれ送信される。
【００６０】
受信器システム４５０では、送信された変調信号はＮＲ個のアンテナ４５２ａ〜４５２ｒによって受信される。また、各アンテナ４５２からの受信信号はそれぞれの受信器（ＲＣＶＲ）４５４ａ〜４５４ｒに提供される。各受信器４５４はサンプルを提供するために各受信信号を調整し（例えば、フィルタし、増幅し、またダウンコンバートし）、対応する受信シンボルストリームを提供するためにサンプルをさらに処理する。
【００６１】
その後、ＲＸデータプロセッサ４６０はＮＴ個の検出されたシンボルストリームを提供するために特定の受信器処理技術に基づいてＮＲ個の受信器４５４からのＮＲ個の受信シンボルストリームを受信し、処理する。その後、ＲＸデータプロセッサ４６０はデータストリーム用のトラフィックデータを回復するために各検出されたシンボルストリームを復調し、ディインターリーブし、復号する。ＲＸデータプロセッサ４６０による処理は送信器システム４１０でのＴＸ  ＭＩＭＯプロセッサ４２０およびＴＸデータプロセッサ４１４によって行なわれた処理に相補的である。
【００６２】
プロセッサ４７０はどのプリコーディングマトリックスを使用するか（下に議論された）を周期的に決める。プロセッサ４７０はマトリックスインデックス部分およびランク値部分を含む逆方向のリンクメッセージを組み立てる。
【００６３】
逆方向のリンクメッセージは通信リンクおよび／または受信データストリームに関する様々なタイプの情報を含むかもしれない。その後、逆方向のリンクメッセージはデータ源４３６からの多数のデータストリームに対するトラフィックデータを受信するＴＸデータプロセッサ４３８によって処理され、変調器４８０によって変調され、送信器４５４ａ〜４５４ｒによって調整され、送信器システム４１０に返送される。
【００６４】
送信器システム４１０では、受信器システム４５０から変調された信号はアンテナ４２４によって受信され、受信器４２２によって調整され、復調器４４０によって復調され、受信器システム４５０によって送信された予備のリンクメッセージを抽出するためにＲＸデータプロセッサ４４２によって処理される。プロセッサ４３０はその後ビームフォーミング重みを決定するためにどのプリコーディングマトリックスを使用するかを決める。
【００６５】
一態様では論理チャネルはコントロールチャネルおよびトラフィックチャネルに分類される。論理コントロールチャネルは、放送システム制御情報のためのＤＬチャネルである放送コントロールチャネル（ＢＣＣＨ）を含む。ページングコントロールチャネルはページング情報を転送するＤＬチャネルである。マルチキャストコントロールチャネル（ＭＣＣＨ）は、１つまたはいくつかのＭＴＣＨのための制御情報、マルチキャストサービス（ＭＢＭＳ）スケジューリング、及びマルチメディア放送を送信するために使われる一点から多点へのＤＬチャネルである。一般に、ＲＲＣ接続を確立した後、このチャネルはＭＢＭＳ（注：古いＭＣＣＨ＋ＭＳＣＨ）を受信するＵＥによってのみ使用される。専用制御チャネル（ＤＣＣＨ）は専用制御情報を送信し、ＲＲＣ接続を持つＵＥにより使用される二点間の双方向チャネルである。一態様の中では、論理トラフィックチャネルは、ユーザ情報の転送のために１つのＵＥに専用され、二点間の双方向チャネルである専用トラフィックチャネルを含む。さらに、マルチキャストトラフィックチャネル（ＭＴＣＨ）はトラフィックデータを送信するためのる一点から多点へのＤＬチャネルである。
【００６６】
一態様ではトランスポートチャネルはＤＬとＵＬに分類される。ＤＬトランスポートチャネルは放送チャネル（ＢＣＨ）、ダウンリンク共用データチャネル（ＤＬ−ＳＤＣＨ）およびページングチャネル（ＰＣＨ）を含む。ページングチャネル（ＰＣＨ）はＵＥ省電力（ＤＲＸサイクルはＵＥへのネットワークによって示される）の支援用であり、全セル上に放送され、また他のコントロール／トラフィックチャネルのために使用することができるＰＨＹ資源にマッピングされる。ＵＬトランスポートチャネルはランダムアクセスチャネル（ＲＡＣＨ）、リクエストチャネル（ＲＥＱＣＨ）、アップリンク共用データチャネル（ＵＬ−ＳＤＣＨ）および多数のＰＨＹチャネルを含む。ＰＨＹチャネルは１組のＤＬチャネルおよびＵＬチャネルを含む。
【００６７】
ＤＬ  ＰＨＹチャネルは次のものを含む：共通パイロットチャネル（ＣＰＩＣＨ）；同期チャネル（ＳＣＨ）；共通コントロールチャネル（ＣＣＣＨ）；共有ＤＬコントロールチャネル（ＳＤＣＣＨ）；マルチキャストコントロールチャネル（ＭＣＣＨ）；共有ＵＬ割り当てチャネル（ＳＵＡＣＨ）；確認応答チャネル（ＡＣＫＣＨ）；ＤＬ物理共有データチャネル（ＤＬ−ＰＳＤＣＨ）；ＵＬ電源コントロールチャネル（ＵＰＣＣＨ）；ページング指標チャネル（ＰＩＣＨ）；ロード指標チャネル（ＬＩＣＨ）。
【００６８】
ＵＬ  ＰＨＹチャネルは次のものを含む：物理ランダムアクセスチャネル（ＰＲＡＣＨ）；チャネル品質標チャネル（ＣＱＩＣＨ）；確認応答チャネル（ＡＣＫＣＨ）；アンテナサブセット指標チャネル（ＡＳＩＣＨ）；共有リクエストチャネル（ＳＲＥＱＣＨ）；ＵＬ物理共有データチャネル（ＵＬ−ＰＳＤＣＨ）；広帯域パイロットチャネル（ＢＰＩＣＨ）。
【００６９】
図８では送信器５００は、モジュール５０２として描かれており多数のＲＬＣ  ＰＤＵを送信するための手段を含む。送信器５００は、モジュール５０４として描かれており送信器ウィンドウの維持のための手段を含む。送信器５００は、モジュール５０６として描かれており受信器からステータスＰＤＵを受信するための手段を含む。送信器５００は、機能５１０として描かれており１つまたは３つ以上の図示されているモジュールを含んでいるポーリングイベントのためにモニターする手段を含む。第１に、モジュール５１２は空の送信器ウィンドウを検出するために提供される。第２に、モジュール５１４はしきい値に達することを検出するためにＲＬＣ  ＰＤＵあるいはＲＬＣの顕著なバイトをカウントするために提供される。第３に、モジュール５１６はポーリングタイマーのために提供される。送信器５００は１つまたは３つ以上の図示されているモジュールを含んでいるポーリングコマンドの作成のための機能５１８を含む。第１に、モジュール５２０はステータスＰＤＵに組み込まれたポールスーパーフィールド（ＳＵＦＩ）を送信するために提供される。第２に、モジュール５２２はポーリングＰＤＵ  ＲＬＣコマンドを送信するために提供される。第３に、モジュール５２４はデータおよびポールビットセットの無いＲＬＣ  ＰＤＵを送信するために提供される。
【００７０】
図９では、受信器６００は、モジュール６０２として描かれており多数のＲＬＣ  ＰＤＵを受信するための手段を含む。受信器６００は、モジュール６０４として描かれており受信器ウィンドウの維持のための手段を含む。受信器６００は、モジュール６０６として描かれておりポールコマンドに応じてステータスＰＤＵを送信するための手段を含む。
【００７１】
受信器６００はデータおよびポールビットセットの無いＲＬＣ  ＰＤＵをポーリングコマンドとして解釈する手段を含み、受信によりその受信バッファを変更しない。
【００７２】
上に記述されたものは種々の態様の例を含んでいる。種々の態様について記述する目的のためにコンポーネントあるいは方法のすべての考えられる組合せについて記述することは勿論不可能である。しかし、当業者はコンポーネントあるいは方法のさらなる多くの組合せが可能であることを認識するかもしれない。従って、本明細書は添付された特許請求の範囲の趣旨と範囲以内にある変更、修正および変化をすべて包含することを意図した。
【００７３】
特に、あるいは上述されたコンポーネント、装置、回路、システムおよびその他同等のものによって実行される様々な機能に関して、そのようなコンポーネントを記述するために使用された用語（手段への言及を含む）は、逆のことを指摘しない限り、ここに示した実例の態様中の機能を実行する開示された構造と構造的に等価ではなくても、開示されたコンポーネントの指定された機能を実行するあらゆるコンポーネント（例えば機能的な等価物）に一致するように意図されている。この点では、種々の態様がシステムとともに様々な方法の行為および／またはイベントを実行するためのコンピュータ実行可能な命令を含むコンピュータ読取可能な媒体を含むことがさらに認識されるであろう。
【００７４】
さらに、その一方で具体的特徴はいくつかの実装のうちのほんの１つに関して示されたかもしれないが、与えられた、あるいは特定のアプリケーションにとって望まれるかもしれないし、有利かもしれないように、そのような特徴は他の実装の１つ以上の他の特徴と結合されてもよい。用語「含んでいる」、または「含み」、およびそれの変形は詳細な説明あるいは特許請求の範囲のいずれかの中で使用される限り、これらの用語は用語「具備する」と類似する扱いで包括的になるように意図されている。更に、詳細な説明あるいは特許請求の範囲のいずれかの中で使用される用語「あるいは」は「非排他的なあるいは」を意味する。
【００７５】
更に、認識されるであろうが、開示されたシステムおよび方法の様々な部分は、人工知能、機械学習あるいは知識あるいは規則ベースのコンポーネント、サブコンポーネント、プロセス、手段、方法あるいはメカニズム（例えば、サポートベクトルマシン、ニューラルネット、エキスパートシステム、ベイジアン確信ネットワーク、ファジー論理、データ融合エンジン、クラシファイヤー、…）を含み得る。そのようなコンポーネントはとりわけ、システムおよび方法の部分をより効率的、知的であるとともにより適応性のあるようにするように実行されるようにあるメカニズムあるいはプロセスを自動化することができる。限定されない一例として、ポーリングイベントが効率的なやり方でスケジュールされるとともに同様な条件の下で同じあるいは同様なマシンとの以前の相互作用に基づいてポールコマンドの種類を選択するように、送信器（例えばアクセスノード）はデータチャネルおよび受信器（例えば、アクセスターミナル）の能力を推論するか予言することができる。
【００７６】
上述した典型的なシステムを考慮して、開示された主題に従って実行されるかもしれない方法はいくつかのフロー図を参照して記述された。説明の簡単化の目的のために方法は一連のブロックと示され説明されているが、いくつかのブロックは異なる順序、および／またはここに図示され説明されたものとは別のブロックであってもよいので、特許請求の範囲の主題はブロックの順序に限定されないことを理解、認識されるべきである。さらに、図示された全てのブロックはここに記述された方法を実行するために要求されるとは限らないかもしれない。さらに、ここに開示された方法がコンピュータにそのような方法を搬送し転送することを容易にする生産品に格納されることができることはさらに認識されるべきである。ここに使用された用語「生産品」は、任意のコンピュータ読取可能な装置、搬送波、媒体からアクセス可能なコンピュータプログラムを包含するように意図される。
【００７７】
参照によって全体的にあるいは部分的にここに組込まれると言われた任意の特許、刊行物あるいは他の開示資料は、既存の定義、ステートメントあるいはこの開示で述べられた他の開示資料と矛盾しない程度までここに組込まれるということを認識されるべきである。同様に、必要な程度まで、ここに述べられるような開示は参照によってここに組み込まれた任意の矛盾する資料にも取って代わる。参照によってここに組み込まれると言われたが、既存の定義、ステートメントあるいはこの開示で述べられた他の開示資料と矛盾する任意の資料、あるいはそれの一部分は組み込まれた資料と既存の開示資料の間に矛盾が発生しない程度まで組み入れられる。
【図１】
2010521933.tif 000003
【図２】
2010521933.tif 000004
【図３】
2010521933.tif 000005
【図４】
2010521933.tif 000006
【図５】
2010521933.tif 000007
【図６】
2010521933.tif 000008
【図７】
2010521933.tif 000009
【図８】
2010521933.tif 000010
【図９】
2010521933.tif 000011
【国際調査報告】
2010521933.tif 000012
2010521933.tif 000013
2010521933.tif 000014